(57)【要約】【課題】画像読取装置における走査ユニット支持するガイドシャフトの確実な接地を確保すると共に、正確な位置決めを行う。【解決手段】プラテン上に載置された原稿の読取走査を行う走査ユニットと、前記走査ユニットを支持して副走査方向に案内するガイドシャフトと、前記ガイドシャフトの端部において前記ガイドシャフトを支持するシャフト支持部と、前記走査ユニット、前記ガイドシャフト及び前記シャフト支持部を収納する合成樹脂部材からなる筐体とを備え、前記ガイドシャフトは、前記シャフト支持手段を介して接地される。【選択図】  図２
2005017873.tif 000002
【特許請求の範囲】
【請求項１】
プラテン上に載置された原稿の読取走査を行う走査ユニットと、
前記走査ユニットを支持して副走査方向に案内するガイドシャフトと、
前記ガイドシャフトの端部において前記ガイドシャフトを支持するシャフト支持部と、
前記走査ユニット、前記ガイドシャフト及び前記シャフト支持部を収納する樹脂部材からなる筐体と、を備え、
前記ガイドシャフトは、前記シャフト支持部を介して接地されることを特徴とする画像読取装置。
【請求項２】
前記シャフト支持部は、
前記ガイドシャフトを所定位置で支持する支持部と、
前記ガイドシャフトと電気的に接触する電気接触部を有する接地手段と、
から構成されたことを特徴とする請求項１に記載の画像読取装置。
【請求項３】
前記シャフト支持部は、導電性弾性部材から成ることを特徴とする請求項１に記載の画像読取装置。
【請求項４】
前記シャフト支持部は、前記筐体の側板において形成され、
前記接地手段は、前記シャフト支持部において前記電気接触部が前記ガイドシャフト端面により前記側板側に押圧されることにより前記ガイドシャフトとの電気的接触が確保されることを特徴とする請求項２に記載の画像読取装置。
【請求項５】
前記接地手段は、金属製板バネ部材で形成されたことを特徴とする請求項４に記載の画像読取装置。
【請求項６】
前記接地手段は、前記筐体を補強する金属製補強部材に接続されることにより前記ガイドシャフトが接地されることを特徴とする請求項２に記載の画像読取装置。
【請求項７】
前記接地手段は、前記シャフト支持部の底面部と前記ガイドシャフト端部との間に挟まれて上下方向の位置が規制される底部をさらに備えることを特徴とする請求項２に記載の画像読取装置。
【請求項８】
前記シャフト支持部の底面部には、前記ガイドシャフトと当接することにより当該ガイドシャフトの高さ方向の位置決めを行う台座が形成され、
前記接地手段の底部には、前記台座が貫通するスリットが形成されていることを特徴とする請求項７に記載の画像読取装置。
【請求項９】
プラテン上に載置された原稿の読み取り走査を行う走査ユニットと、
前記走査ユニットを支持して副走査方向に案内するガイドシャフトと、
前記走査ユニットおよび前記ガイドシャフトを収容する樹脂製筐体と、
前記樹脂製筐体に形成され、前記ガイドシャフトの端部を支持するシャフト支持部と、
前記ガイドシャフトの接地を行う接地手段とを備え、
前記シャフト支持部の底面は、前記ガイドシャフト端部の下周面と当接して前記ガイドシャフトの上下方向の位置決めを行う第１底面と、前記ガイドシャフト下周面との間で前記接地手段の上下方向の位置を規制する第２底面とを備え、
前記第１底面は、前記第２底面よりも上方に突出していることを特徴とする画像読取装置。
【請求項１０】
前記第１底面は、円弧面であることを特徴とする請求項９に記載の画像読取装置。
【請求項１１】
プラテン上に載置された原稿の読み取り走査を行う走査ユニットと、
前記走査ユニットを支持して副走査方向に案内するガイドシャフトと、
前記走査ユニットおよび前記ガイドシャフトを収容する樹脂製筐体と、
前記樹脂製筐体の対向する二つの側板にそれぞれ形成され、前記ガイドシャフトのそれぞれの端面と係合して前記ガイドシャフトを挟持する挟持部を有するガイドシャフト支持部と、
前記ガイドシャフトの端面と接触する電気接触部を有する接地手段とを備え、
前記ガイドシャフトの各端面は前記挟持部と当接する第１端面と前記電気接触部と接触する第２端面を備えることを特徴とする画像読取装置。
【請求項１２】
プラテン上に載置された原稿の読取走査を行う走査ユニットと、
前記走査ユニットを支持して副走査方向に案内するガイドシャフトと、
前記走査ユニットおよび前記ガイドシャフトを収容する合成樹脂製筐体と、
前記ガイドシャフトの両端側における前記樹脂製筐体の対向する二つの側板にそれぞれ形成され、前記ガイドシャフトのそれぞれの端面と係合して前記ガイドシャフトを挟持する挟持部を有するガイドシャフト支持部と、
前記ガイドシャフトの端面と接触する電気接触部を有する接地手段と、を備え、
前記接地手段の電気接触部には、前記挟持部が貫通するスリットが形成されていることを特徴とする画像読取装置。
【請求項１３】
前記シャフト支持部の底面部には、前記ガイドシャフト端部と当接することにより当該ガイドシャフトの高さ方向の位置決めを行う台座が形成され、
前記接地手段は、前記シャフト支持部の底面部と前記ガイドシャフト端部との間に挟まれて上下方向の位置が規制される底部をさらに備え、前記底部には、前記台座が貫通するスリットが形成されていることを特徴とする請求項１２に記載の画像読取装置。
【請求項１４】
プラテン上に載置された原稿の読取走査を行う走査ユニットと、
前記走査ユニットを支持して副走査方向に案内するガイドシャフトと、
前記走査ユニットと前記ガイドシャフトを収納し、前記ガイドシャフトの端部において前記ガイドシャフトを支持するシャフト支持部が形成された樹脂製の筐体と、
前記シャフト支持部の外側位置において前記ガイドシャフトの端部と接触する電気接触部を有する接地手段と、
を備えたことを特徴とする画像読取装置。
【請求項１５】
プラテン上に載置された原稿の読み取り走査を行う走査ユニットと、
前記走査ユニットを支持して副走査方向に案内するガイドシャフトと、
前記走査ユニットおよび前記ガイドシャフトを収容する樹脂製筐体と、
前記樹脂製筐体に形成され、前記ガイドシャフトの端部と嵌合し前記ガイドシャフトを支持するシャフト支持部と、
前記ガイドシャフトの接地を行う接地手段とを備え、
前記ガイドシャフトの端部を前記シャフト支持部に嵌合させることで、前記接地手段は前記ガイドシャフトに接触して固定されることを特徴とする画像読み取り装置。
【発明の詳細な説明】
【０００１】
【産業上の利用分野】
本発明は、プラテン上に載置された原稿を光学的に読み取るための走査ユニットを備える画像読取装置に関し、特に、このような画像読取装置において、電源コードや信号ケーブルを伝搬する電気ノイズと、空気中に放散される電磁波ノイズ（以下、「妨害波」という）の抑制技術に関する。
【０００２】
【従来の技術】
画像読取装置は、我国の妨害波に関する規制の対象となる「情報処理及び電子事務用等の情報技術装置」の一つであり、妨害波のレベルを規制値以下に抑制しなければならない。特に、最近の画像読取装置においては、原稿画像を高解像度で読み取るために高周波数のクロック信号を用いるＣＰＵやメモリＩＣを搭載しており、従来と同レベルの妨害波対策を採用するだけでは、我国や諸外国の妨害波に関する厳しい規制値をクリヤすることは困難になってきている。
【０００３】
一方、画像読取装置の製造コストを部品点数の低減化により実現するとともに装置を軽量化するために、画像読取装置の筐体を、従来使用していたシールド効果のある鉄板製の金属筐体に替えてプラスチック等の（合成）樹脂部材を多用するようになってきており、特に電磁波ノイズの妨害波の抑制対策（ＥＭＣ対策）は容易ではない。
【０００４】
図８は、プラテンガラス上に載置された原稿を光学的に読み取る走査ユニットを副走査方向に移動させて読み取りを行う従来の画像読取装置（特開平８−１６３２９１号公報）を説明するものである。この画像読取装置においては、金属製フレーム１０２の上部にプラテンガラス１０１が固定され、読み取られる原稿はプラテンガラス１０１に載置される。プラテンガラス１０１の下方に配置され原稿を光学的に読み取る読取ユニット１０３は、光源１０３ａと、ラインイメージセンサ１０３ｂと、レンズ１０３Ｃとで構成され、読取ユニット１０３を支持するキャリッジ１０４に保持されている。
【０００５】
キャリジ１０４は、ガイドシャフト１０８上を矢印Ａ，Ｂ方向（副走査方向）に往復移動してプラテンガラス１０１上に載置された原稿の読み取りを行う。そして、キャリッジ１０４を支持するガイドシャフト１０８は、金属製フレーム１０２と結合されることで接地するようにしている。
【０００６】
一方、合成樹脂部材を用いたフレームにガイドシャフトを固定した画像読取装置においては、ガイドシャフトを支持する支持部材とは別に、金属製の接地手段を導電用ワイヤに接続してガイドシャフトの接地を行うようにしている。
【０００７】
ガイドシャフトを接地しなければ、ガイドシャフトは、画像読取装置の電子回路内で発生した電磁波ノイズを妨害波として発散するアンテナとなってしまい、近隣の電子機器に悪影響を与えることとなる。従って、画像読取装置におけるガイドシャフトを接地することはＥＭＣ対策上重要である。
【０００８】
【特許文献】特開平８−１６３２９１号公報
【発明が解決しようとする課題】
ところで、画像読取装置においては、走査ユニットを支持すると共に副走査方向に案内するガイドシャフトは、走査ユニットの移動の妨げにならないように配慮した上で接地手段と接触させる必要がある。上記した画像読取装置では、キャリッジ１０４が走査方向の両端部でガイドシャフト１０８に支持されているために、キャリッジが走査領域の端に位置した場合、フレーム近傍までキャリッジの端面が出てしまう。そのために、板バネなどの接地手段とガイドシャフトとを接触させるのに十分な領域を得ることができなかった。
【０００９】
このため、ガイドシャフトとの支持位置を内側に設定して、キャリッジが走査領域の端に位置してもガイドシャフトの接地箇所を確保できるよう配慮して設計する必要がある。また、接地箇所を考慮してキャリッジの摺動部の位置を決定した場合、キャリッジの走行安定性等の性能面に影響を与えることとなっていた。
【００１０】
このように従来は、フレームを樹脂で構成した場合、ガイドシャフトを接地する接地位置を考慮して設計を行う必要があり、設計の自由度を低下させていた。
【００１１】
さらに、走査ユニットを支持するガイドシャフトは、プラテン上に載置される原稿を精緻に読み取るためには、取付位置（特にプラテン面との高さ方向の位置関係）の厳格な精度が求められる。
【００１２】
このため、本発明は、ガイドシャフトの接地を施すにあたり、接地手段とガイドシャフトとの接触位置を特に考慮することなくガイドシャフトの接地を行えるようにすることで設計の自由度を向上させると共に、ガイドシャフトをガイドシャフト支持部に押し込むだけで、ガイドシャフトの正確な位置決めを可能とすると共に、確実な接地性能を備える画像読取装置を提供することを目的とする。
【００１３】
【課題を解決するための手段】
このため、本発明は、プラテン上に載置された原稿の読取走査を行う走査ユニットと、前記走査ユニットを支持して副走査方向に案内するガイドシャフトと、前記ガイドシャフトの端部において前記ガイドシャフトを支持するシャフト支持部と、前記走査ユニット、前記ガイドシャフト及び前記シャフト支持部を収納する樹脂部材からなる筐体と、を備え、前記ガイドシャフトは、前記シャフト支持部を介して接地されることを特徴とする画像読取装置を提供するものである。
【００１４】
これにより、本画像装置においては、ガイドシャフト支持部自体が接地機能を有するので、走査ユニットにおけるキャリッジの設計自由度を向上させると共に、接地用の導電用ワイヤを、ガイドシャフトの端部又はガイドシャフトを支持する支持部材に接続する必要性を無くしたのである。
【００１５】
ここで、前記シャフト支持部は、前記ガイドシャフトを所定位置で支持する支持部と、前記ガイドシャフトと電気的に接触する電気接触部を有する接地手段と、から構成される。
【００１６】
また、本発明の第２の形態として、上記した画像読取装置の構成において、前記シャフト支持部が導電性弾性部材により構成し、シャフト支持部自体が接地機能を備えるようにしてもよい。これにより、前記ガイドシャフトは、前記シャフト支持部との全ての接触部においてその電気的接触が行われ、ガイドシャフトの接地が確実に確保されるのである。この場合、シャフト支持部とは別に接地手段を設ける必要がないので、部品点数を減少させると共に製造コストの低減化を可能にしたのである。
【００１７】
本発明は、第３の形態として、プラテン上に載置された原稿の読取走査を行う走査ユニットと、前記走査ユニットを支持して副走査方向に案内するガイドシャフトと、前記走査ユニットと前記ガイドシャフトを収納し、前記ガイドシャフトの端部において前記ガイドシャフトを支持するシャフト支持部が形成された樹脂製の筐体と、前記シャフト支持部の外側位置において前記ガイドシャフトの端部と接触する電気接触部を有する接地手段と、を備えたことを特徴とする画像読取装置を提供するものである。
【００１８】
これにより、本画像読取装置においては、走査ユニットの走査領域外となるガイドシャフト支持部よりも外側においてガイドシャフトと電気接触部とを接触させるようにしたので、走査ユニットを支持するキャリッジにおいて電気接触部との交差領域を切り欠く等の設計上の必要性を無くしたのである。
【００１９】
ここで、前記シャフト支持部は、前記筐体の側板において形成され、前記接地手段は、前記シャフト支持部において前記電気接触部が前記ガイドシャフト端面により前記側板側に押圧されることにより前記ガイドシャフトとの電気的接触が確実に確保されるのである。このため、前記電気接触部は、金属製板バネ部材で形成されるのである。そして、前記接地手段は、前記筐体を補強する金属製補強部材に接続されることにより前記ガイドシャフトが接地されるのである。
【００２０】
また、前記底面部には、前記ガイドシャフトと当接することにより当該ガイドシャフトの高さ方向の位置決めを行う台座が形成され、前記接地手段の底部には前記台座が貫通するスリットが形成される。これにより、走査ユニットの焦点深度内に原稿が載置されるプラテン上面が位置することを確保することを可能にしたのである。
【００２１】
【発明の実施の形態】
以下、本発明に係る画像読取装置の実施の形態例を、図面を参照しつつ詳細に説明する。
【００２２】
図１は、本画像読取装置の全体的構成例を説明するものである。本画像読取装置１は、上フレーム２と下フレーム３とを備え、それぞれ樹脂で形成されている。
【００２３】
上フレーム２には、原稿を載置するプラテン４がネジ等の固定手段（図示せず）により固定される。
【００２４】
下フレーム３には、プラテン４上に載置された原稿の読取走査を行う走査ユニット５と、この走査ユニット５の一方の端部（主走査方向一方端部）を支持して走査ユニット５を副走査方向（図１における矢印Ｘで示す）に案内するガイドシャフト６と、走査ユニット５の他方の端部（主走査方向他方端部）を支持し、副走査方向に案内するガイドレール８と、走査ユニット５を副走査方向に移動させる駆動手段７、及び下フレーム２を補強するための金属製の補強板１１とが収容されている。
【００２５】
また、下フレーム３の副走査方向に沿った側板には、本画像読取装置の制御を行うためのＣＰＵやフレキシブルケーブル９を介して走査ユニット５から出力された画像信号の処理を行う画像処理部を備える制御基板１０が金属製ケーシングに収容されて固定されている。
【００２６】
走査ユニット５には、プラテン上に載置された原稿に光を照射する光源５１と、この光源５１からの光を反射する複数のミラー５２と、原稿からの反射光を集光するレンズ（図示せず）と、レンズで集光された光を光電変換して読み取るべく主走査方向に複数の光電変換素子が配列されたイメージセンサ（図示せず）と、イメージセンサを支持するとともにイメージセンサから出力されるアナログ信号をデジタル信号に変換するＡ／Ｄコンバータ等を備えるセンサ基板（図示せず）とが備えられる。
【００２７】
下フレーム３に設けられた駆動手段７は、駆動源のモータ７１と、このモータ７１の駆動を走査ユニット５に伝達するギヤやタイミングベルトなどの駆動伝達手段７２により構成されている。また、ガイドシャフト６は、断面形状が円形の棒状金属で形成され、下フレーム３の第１側板３１、第２側板３２にそれぞれ形成されたシャフト支持部に各端部が支持されて固定されている。
【００２８】
そして、走査ユニット５は、摺動部材５３を介してガイドシャフト６に摺動可能に支持され、モータ７１の駆動により副走査方向に移動しながらプラテン４上に載置された原稿の読み取りを行う。読取走査によって取得した画像データは、フレキシブルケーブル９を介して伝送され、制御基板１０において種々の画像処理が施された後に画像形成装置（複写機）やパーソナルコンピュータ等のデータ処理装置へ出力される。
【００２９】
図２は、本画像読取部の主要な構成部であるシャフト支持部の第１の実施例を示す。この第１の実施例によるシャフト支持部３３は、ガイドシャフト６を所定の固定位置に位置決めする支持部（３４乃至３９）と、ガイドシャフト６と電気的に接触する電気接触部を有する接地手段１２とから構成されている。
【００３０】
ガイドシャフト６の端部６ａを支持するシャフト支持部３３は、下フレーム３の主走査方向に平行で互いに対向する２つの側板、第１側板３１、第２側板３２に対向した位置に形成される。そして、図２は、シャフト支持部３３が第１側板３１（図１）に形成された状態を示している。
【００３１】
シャフト支持部３３は、円弧状に形成された側壁３４と、ガイドシャフト６の下面を支持する底部３５と、ガイドシャフト６の端面を支持する外壁３６で構成され、上方からガイドシャフト６端部を嵌め込み可能とするように上面は開口となっている。
【００３２】
側壁３４の円弧状内面は、ガイドシャフト６の外周面と嵌合できるように厳格な嵌合寸法差を備えた径に設定されており、ガイドシャフト６の端部外周面を嵌合させる。これにより、ガイドシャフト６は、図中矢印Ｙで示す主走査方向の所定位置に位置決めされるのである。
【００３３】
また、水平面３４ａ，３４ｂとの距離は、ガイドシャフト６の直径よりもわずかに短く設定されており、ガイドシャフト６を上方からシャフト支持部３３に嵌め込む際は、ガイドシャフト６を上方から押圧して水平部３４ａと３４ｂ間を弾性的に広げで挿入する。ガイドシャフト６を挿入した後は、水平面３４ａ，３４ｂとの距離がガイドシャフト６の直径よりもわずかに短く設定されているために水平面３４ａと３４ｂによってガイドシャフト６は上方に抜け落ちないようになっている。
【００３４】
底部３５から外壁３６にかけて第１溝３７及び第２溝３８が形成されている。底部３５の中央部にはガイドシャフト６の下周面に当接する台座３９が形成されており、台座３９の表面（第１底面）は、第１溝と第２溝３７，３８の表面（第１溝の表面および第２溝の表面はそれぞれ第２底面）よりも約０．６ｍｍ高くなっている。台座３９の表面は円弧状となっており、ガイドシャフト６の端部の下周面はこの台座３９に当接することで所定の高さ位置に位置決めされる。また、台座３９の主走査方向の長さは、ガイドシャフト６の直径よりも短くなるように設定されている。
【００３５】
外壁３６の中央部にはガイドシャフト６の端面６ａと当接する当接部３６ａ（挟持部）が形成され、この当接部３６ａの表面も第１溝と第２溝３７、３８の表面よりも約０．６ｍｍ高くなっている。
【００３６】
また、第２側板３２に形成されたシャフト支持部３４にも同様に当接部３６ｂ（挟持部）が形成されており、当接部３６ａ、３６ｂ間の距離は、ガイドシャフト６をちょうど嵌合できるよう嵌め合い寸法差を備えた長さに設定されており、ガイドシャフト６の端面中央部（第１端面）と嵌合させることで、ガイドシャフト６は当接部材３６ａと３６ｂとで挟持される。（図５参照）
図３に、第１実施例に係るシャフト支持部を構成する接地手段の一例を示す。図３において、接地手段を構成する板バネ１２は金属（銅板又はアルミ板）で構成されている。板バネ１２は、水平部１２０とこの水平部１２０から立ち上がった接触部（電気接触部）１２１、水平部から下方に伸びる下垂部１２２とで一体に構成されている。
【００３７】
接触部１２１、下垂部１２２はそれぞれ曲げ加工により屈曲部が形成され、下垂部１２２の略中央に形成された屈曲部を第１屈曲部１２４、接触部１２１に形成された屈曲部を下から順に、第２屈曲部１２５、第３屈曲部１２６という。
【００３８】
水平部１２０と接触部１２１の中央にはスリット１２３が形成されて水平部１２０および接触部１２１はそれぞれ二つに分割され、水平部１２０は第１水平部１２０ａ、第２水平部１２０ｂで構成され、接触部１２１は第１接触部１２１ａ、第２接触部１２１ｂとで構成されている。
【００３９】
当然のことながら、接地手段を構成する板バネ１２の形状は、図３に示した例に限定されるものではなく、種々の形状が考えられる。
【００４０】
図２、４に示すように、板バネ１２の第１水平部１２０ａ、第２水平部１２０ｂを第１溝３７、第２溝３８の各底面（第２底面）にそれぞれ当接させてシャフト支持部３３上に板バネ１２を載置すると、当接部３６ａの高さが約０．６ｍｍであるのに対し、板バネ１２は厚さが約０．２ｍｍなので、スリット１２３から当接部３６ａと台座３９が突出した状態となる。
【００４１】
また、シャフト支持部３３上に板バネ１２を載置した状態では、板バネ１２の第１接触部１２１ａ及び第２接触部１２１ｂの第３屈曲部１２６は、当接部材３６ａよりも内側に突出した状態となっている。さらに、板バネ１２の下垂部１２２は、第１側板３１と補強板１１との間に挿入され、第１屈曲部１２４がグラウンドとなる補強板１１と接触し、板バネ１２は接地される。
図２、図５で示すように、シャフト支持部３３上に板バネ１２を載置した状態でその上方からガイドシャフト６の端部を挿入すると、板バネ１２の水平部１２０（第１水平部１２０ａ、第２水平部１２０ｂ）は、第１溝３７、第２溝３８の各底面（第２底面）とガイドシャフト６の下周面との間に挟まれて、上下方向の位置が規制され、振動などによって抜け落ちることがない。
【００４２】
また、シャフト支持部３３上に板バネ１２を載置した状態でその上方からガイドシャフト６の端部を挿入しても、ガイドシャフト６の下周面は板バネ１２を介さずに台座３９表面（第１底面）と直接当接して上下方向の位置決めがなされる。そのため、ガイドシャフト６に支持される走査ユニット５は、原稿載置面（プラテン上面）からレンズまでの距離が一定となるよう所定の高さに位置する必要があるが、ガイドシャフト６の位置決めが、板バネ１２の板厚のばらつきや平面性に左右されず、シャフト支持部３３の台座３９で行われて累積公差を低減することで所定の高さで読取ユニット５を位置させることができるのである。
【００４３】
さらに、シャフト支持部３３上に板バネ１２を載置した状態でその上方からガイドシャフト６の端部を挿入しても、ガイドシャフト６の端面の中央部（第１端面）は、板バネ１２を介さずに当接部３６ａと直接当接して固定される。これにより、板バネ１２の板厚や平面度のばらつきに左右されずに固定されるため、ガイドシャフト６の副走査方向の位置ズレを低減することができ、走査ユニット５の走査時の振動をより低減させより安定して走行させることができる。
【００４４】
そして、シャフト支持部３３上に板バネ１２を載置した状態でその上方からガイドシャフト６の端部を挿入すると、板バネ１２の第３屈曲部１２６がガイドシャフト６の端面の両端部（第２端面）に当接する。よって、ガイドシャフト６は、シャフト支持部３３で板バネ１２の接触部１２１と接触することで、補強板１１を介して接地されている。
【００４５】
上記のように、図５において矢印Ｗで示す走査ユニットの走査領域外のシャフト支持部３３でガイドシャフト６と接地手段（板バネ）とを接触させてガイドシャフト６の接地を行うようにしたので、接地手段（板バネ）とガイドシャフトとの接触位置を考慮せずに走査ユニット等の設計を行えるようになり、設計の自由度を向上することができたのである。
【００４６】
また、本実施例のように、板バネの弾性によりガイドシャフト端面と板バネを接触させて接地させるようにすることで、画像読取装置内部の温度が上昇し、樹脂製フレームと金属製ガイドシャフトの熱膨張係数の差で、ガイドシャフト端面とフレームの側板との間の距離が変化しても、確実にガイドシャフト端面と板バネとを接触させることができる。
【００４７】
また、ガイドシャフトの端部を軸受部に嵌合させることで、接地手段をガイドシャフトに接触させた状態で固定することができ、接地手段を固定する固定部材を設ける必要が無く、部品点数および組立工数を減少させることができる。
【００４８】
図６は、本画像読取部の主要な構成部であるシャフト支持部の第２の実施例を示す。
【００４９】
本第２の実施例においては、シャフト支持部３３は、導電性弾性部材により一体的に形成される。この導電性弾性部材は、導電性プラスチック部材又は導電性硬質ゴム部材が用いられる。これらの導電性部材は、部材全体が導電性を有するものであっても、部材表面の所定厚部分が導電性を有するものであってもよい。また、シャフト支持部３３は、その一部（例えば、図３に示した屈曲部１２４に相当する部分）に金属部材を使用することも可能である。
【００５０】
本第２の実施例においては、図６の斜線で示す領域のシャフト支持部３３自体が第１実施例における板バネ１２の機能（接地機能）を兼用する。しかし、このシャフト支持部３３における支持部３４〜３９は、上記した第１実施例の支持部の各構成部３４〜３９と同様である。
【００５１】
即ち、支持部は、円弧状に形成された側壁３４と、ガイドシャフト６の下面を支持する底部３５と、ガイドシャフト６の端面を支持する外壁３６で構成され、上方からガイドシャフト６端部を嵌め込み可能とするように上面は開口となっている。
【００５２】
側壁３４の円弧状内面は、ガイドシャフト６の外周面と嵌合できるように厳格な嵌合寸法差を備えた径に設定されており、ガイドシャフト６の端部外周面を嵌合させることで、ガイドシャフト６は、図中矢印Ｙで示す主走査方向の所定位置に位置決めされるのである。
【００５３】
また、水平面３４ａ，３４ｂとの距離は、ガイドシャフト６の直径よりもわずかに短く設定されており、ガイドシャフト６を上方から押圧して水平部３４ａと３４ｂ間を弾性的に広げで挿入すると、水平面３４ａと３４ｂによってガイドシャフト６は上方に抜け落ちないようになっている。
【００５４】
底部３５の中央部には表面が円弧状となった台座３９が形成されており、ガイドシャフト６の端部の下周面をこの台座３９に当接することで所定の高さ位置に位置決めされる。
【００５５】
外壁３６の中央部にはガイドシャフト６の端面６ａと当接する当接部３６ａ（挟持部）が形成されている。また、第２側板３２に形成されたシャフト支持部３４にも同様に当接部３６ｂ（挟持部）が形成されており、当接部３６ａ、３６ｂ間の距離は、ガイドシャフト６をちょうど嵌合できるよう嵌め合い寸法差を備えた長さに設定されており、ガイドシャフト６の端面中央部と嵌合させることで、ガイドシャフト６は当接部材３６ａと３６ｂとで挟持されるのである。
【００５６】
これにより、ガイドシャフト６は、その両方の端面６ａから背面支持部４０で挟持されるので、走査ユニット５（図１）による読取走査時にそのシャフト方向の振動が防止されるのである。
【００５７】
また、この第２の実施例に係るガイドシャフト支持手段３３においては、ガイドシャフト６との電気的接触は、支持手段３４〜３９との全ての接触部において確実に行われるのである。
【００５８】
図７は、本画像読取部の主要な構成部であるシャフト支持部の第３の実施例を示す。
【００５９】
この第３の実施例においては、ガイドシャフト６を接地する接地手段５１が、走査ユニット５（図１）を支持して副走査方向に案内するガイドシャフト６を支持するシャフト支持部３３の外側位置に配置されることを特徴としている。尚、図７において、上記した第１の実施例と同一の部材には同じ番号を付与している。
【００６０】
この第３の実施例に係る画像読取装置を構成する合成樹脂製の下フレーム３の底面２０３にシャフト支持部３３が一体で形成されている。シャフト支持部３３の上端部は、円弧状の台座４０で、上方からガイドシャフト６を挿入できるよう上部は開放されている。そして、ガイドシャフト６には外周面に沿って溝６１が形成されており、この溝６１の位置でガイドシャフト６の下外周面を台座４０に嵌合させてガイドシャフト６は所定の高さ位置で支持される。
【００６１】
ガイドシャフト６の接地を行う接地手段の板バネ５０の一方の端（上側）は、ガイドシャフト６の端部の外周面と当接するよう円弧状に形成された接触部５１が一体で形成され、板バネ５０の他方の端（下側）は、モータなどのグラウンド部材に金属製のねじなどで当接固定されている。接触部５１は、その中央にスリット５１Ｃが形成され、第１接触部５１ａ、第２接触部５１ｂの二つに分割されている。樹脂製上フレーム２には押さえ部材７０が一体で形成され、この押さえ部材７０の下端部は円弧状に形成され、下方からガイドシャフト６を挿入できるように下部は開放されている。
【００６２】
シャフト支持部３３の台座４０に対してガイドシャフト６の溝６１を嵌合させてガイドシャフト６を支持させ、その上方からガイドシャフト６の端部上に接触部５０が当接するよう板バネ５０を載置する。そして、板バネ５０のスリット５１Ｃから押さえ部材７０の円弧面を直接ガイドシャフト６の外周面に当接させ、上フレーム２を下フレーム３にねじで固定することで、上フレーム２に取り付けられたプラテン４は所定高さに固定される。このとき、押さえ部材７０に形成された円弧状の付勢部材７３ａ、７３ｂにより接触部５１ａ、５１ｂがガイドシャフト６の上外周面に付勢され当接して固定される。
【００６３】
このように、シャフト支持部よりも外側でガイドシャフトと接地手段を接触させるようにすることで、接地手段とガイドシャフトの接触位置を考慮せずに設計を行えるようになり、設計の自由度を向上させることができる。
【００６４】
さらに、接地手段の接触部をガイドシャフト６に当接させるとともに固定する付勢部材を上フレームに設け、上フレームの設置と同時に接地手段を固定することができ、接地手段をガイドシャフトに固定する手段を別で設ける必要がない。
【００６５】
以上詳しく説明したように、本発明に係る画像読取装置においては、プラテン上に載置された原稿の読取走査を行う走査ユニットと、前記走査ユニットを支持して副走査方向に案内するガイドシャフトと、前記ガイドシャフトの端部において前記ガイドシャフトを支持するシャフト支持部と、前記走査ユニット、前記ガイドシャフト及び前記シャフト支持部を収納する合成樹脂部材からなる筐体とを備え、前記ガイドシャフトは、前記シャフト支持手段を介して接地されることを特徴とする画像読取装置を提供するものである。
【００６６】
これにより、本発明は、ガイドシャフトの接地を施すにあたり、接地手段とガイドシャフトとの接触位置を特に考慮することなくガイドシャフトの接地を行えるようにすることで設計の自由度を向上させ、ガイドシャフトをガイドシャフト支持部に押し込むだけで、ガイドシャフトの正確な位置決めを可能としたのである。
【００６７】
ところで、上記した実施例では、光学系やイメージセンサを収納した一体型の走査ユニットの例を示したが、本発明は、二つのミラーユニットを移動させて読取走査を行うミラー移動型にも適用できることは言うまでもない。
【００６８】
また、上記した実施例では、ガイドシャフトの両端部でそれぞれ接地手段と接触させて接地を行うようにしたが、妨害波のレベルに応じてはガイドシャフトの一方端だけで接触させても有効である。
【００６９】
また、上記した実施例では、ガイドシャフト端部はシャフト支持部で嵌合される構成としたが、ガイドシャフト端部を金属製のねじでシャフト支持部に固定し、このネジで接地手段を共締めすることでガイドシャフトと接地手段の固定および電気的接触を行うようにしてよい。
【図面の簡単な説明】
【図１】本画像読取装置の全体的構成例を説明するものである。
【図２】本画像読取部の主要な構成部であるシャフト支持部の第１の実施例を示す。
【図３】第１の実施例に係るシャフト支持部を構成する接地手段の一例を示す。
【図４】第１の実施例に係るシャフト支持部３３に接地手段を載置した状態を示す。
【図５】第１の実施例に係るシャフト支持部にガイドシャフトを支持（勘合）させた状態を示す。
【図６】シャフト支持部の第２の実施例を示す。
【図７】シャフト支持部の第３の実施例を示す。
【図８】金属フレームにガイドシャフトを接地する従来技術に係る画像読取装置の例を示す。
【符号の説明】
１  ：画像読取装置
２  ：上フレーム
３  ：筐体（下フレーム）
４  ：プラテン
５  ：走査ユニット
６  ：ガイドシャフト
８  ：ガイドレール
１２  ：接地手段
３１  ：第１側板
３２  ：第２側板
３３  ：ガイドシャフト支持部
【図１】
2005017873.tif 000003
【図２】
2005017873.tif 000004
【図３】
2005017873.tif 000005
【図４】
2005017873.tif 000006
【図５】
2005017873.tif 000007
【図６】
2005017873.tif 000008
【図７】
2005017873.tif 000009
【図８】
2005017873.tif 000010